(57)【要約】【課題】除菌抗菌効果が高いにもかかわらず、肌に対する刺激性が低いウエットシートを提供すること。【解決手段】本発明のウエットシートは、繊維材料からなる基材シートに液剤が含浸されてなる。液剤は、（Ａ）乳酸、クエン酸、リンゴ酸、酢酸若しくはこれらの酸の塩、又はこれらの酸及び塩から選択される２種以上の組み合わせ、（Ｂ）第四級アンモニウム塩型界面活性剤、及び（Ｃ）水を含有するものである。液剤はエタノールを非含有である。液剤は、２５℃におけるｐＨが３．０以上６．０未満である。【選択図】なし【特許請求の範囲】
【請求項１】
繊維材料からなる基材シートに液剤が含浸されてなるウエットシートであって、
前記液剤は、
（Ａ）乳酸、クエン酸、リンゴ酸、酢酸若しくはこれらの酸の塩、又はこれらの酸及び塩から選択される２種以上の組み合わせ、
（Ｂ）第四級アンモニウム塩型界面活性剤、及び
（Ｃ）水、
を含有するとともにエタノールを非含有であり、且つ２５℃におけるｐＨが３．０以上６．０未満である、ウエットシート。
【請求項２】
前記液剤が水を９７質量％以上９９．７質量％以下含有する、請求項１に記載のウエットシート。
【請求項３】
前記液剤が更にシリコーンを含有する、請求項１又は２に記載のウエットシート。
【請求項４】
前記液剤に含まれるすべての成分が、医薬部外品原料規格２００６を満たすものである、請求項１ないし３のいずれか一項に記載のウエットシート。
【請求項５】
前記基材シートの質量に対して１００質量％以上１０００質量％以下の割合で前記液剤が含浸されている、請求項１ないし４のいずれか一項に記載のウエットシート。
【請求項６】
前記基材シートが再生繊維を含む、請求項１ないし５のいずれか一項に記載のウエットシート。
【請求項７】
前記基材シートは、レーヨン繊維及び合成樹脂繊維が混綿されてなるスパンレース不織布からなる、請求項１ないし６のいずれか一項に記載のウエットシート。
【請求項８】
前記基材シートは、前記レーヨン繊維の割合が５０質量％以上１００質量％以下であり、且つ複数の開孔が形成されているものである、請求項７に記載のウエットシート。
【発明の詳細な説明】
【技術分野】
【０００１】
本発明は、基材シートに液剤が含浸されてなるウエットシートに関する。
【背景技術】
【０００２】
除菌剤又はアルコール等を含有するウエットシートが知られている。ウエットシートは、キッチン周り、テーブル、家具、電化製品等の汚れを拭きとる際に使用される。それに加えて、ウエットシートは、手、指、口周り等の身体の汚れを拭き取る際にも使用される。口周りを拭くには肌の刺激性が低いことが重要であり、また、体内に入ることも予測できるため、特に安全性が重要である。特許文献１ないし３には、アルコールを含む液剤が含浸されたウエットシートが記載されている。特許文献４には、除菌剤を含む液剤が含浸されたウエットシートが記載されている。
【先行技術文献】
【特許文献】
【０００３】
【特許文献１】特開２００４−１６７３０号公報
【特許文献２】特開２００５−２９６２４０号公報
【特許文献３】特開２０１１−３０７９３号公報
【特許文献４】特開２０１８−２７９１６号公報
【発明の概要】
【発明が解決しようとする課題】
【０００４】
特許文献１ないし３に記載のウエットシートは、アルコールを含有しているため、除菌効果は高いものである。しかし身体の汚れを拭き取る際に使用すると、アルコールに対して肌がアレルギー反応を示す場合があり、肌に対する刺激性が低いものとは言えない。
【０００５】
特許文献４に記載のウエットシートは、アルコールを含有せず、除菌剤を含有しているので、除菌効果は高いものである。しかし含浸されている除菌剤がアルカリ性のものであるため、肌に対して刺激性を有することがある。
【０００６】
したがって本発明の課題は、除菌抗菌効果が高いにもかかわらず、肌に対する刺激性が低いウエットシートを提供することにある。
【課題を解決するための手段】
【０００７】
本発明は、繊維材料からなる基材シートに液剤が含浸されてなるウエットシートであって、
前記液剤は、
（Ａ）乳酸、クエン酸、リンゴ酸、酢酸若しくはこれらの酸の塩、又はこれらの酸及び塩から選択される２種以上の組み合わせ、
（Ｂ）第四級アンモニウム塩型界面活性剤、及び
（Ｃ）水、
を含有するとともにエタノールを非含有であり、且つ２５℃におけるｐＨが３．０以上６．０未満である、ウエットシートを提供することにより前記の課題を解決したものである。
【発明の効果】
【０００８】
本発明によれば、高い除菌抗菌効果と、肌に対する刺激性が低いこととを両立したウエットシートが提供される。
【発明を実施するための形態】
【０００９】
以下本発明を、その好ましい実施形態に基づき説明する。本発明のウエットシートは、繊維材料からなる基材シートに液剤が含浸されてなるものである。
【００１０】
抗菌効果を付与する観点から、液剤は成分（Ａ）を含有する。（Ａ）としては、乳酸、クエン酸、リンゴ酸、酢酸若しくはこれらの酸の塩、又はこれらの酸及び塩から選択される２種以上の組み合わせが挙げられる。これらのうち、安心感・安全性の観点から食品がイメージできる、乳酸又はその塩が好ましい。乳酸の中でも、安心感・安全性の観点から食品がイメージできる、発酵によって得られる発酵乳酸が好ましく用いられる。塩としては、カリウム、ナトリウム等のアルカリ金属塩を挙げることができる。
【００１１】
液剤中の成分（Ａ）の含有量は、高い抗菌性を付与する観点から、０．１質量％以上が好ましく、０．２質量％以上がより好ましく、そして１．０質量％以下が好ましく、０．５質量％％以下がより好ましい。かかる成分（Ａ）の含有量の範囲としては、液剤中に、好ましくは０．１質量％以上１．０質量％以下であり、より好ましくは０．２質量％以上０．５質量％以下である。酸を塩の状態で用いる場合、成分（Ａ）の含有量は、酸に換算した量（酸換算量）とする。成分（Ａ）として２種以上含有する場合、成分（Ａ）の含有量は合計量とする。
【００１２】
除菌効果を付与する観点から、液剤は成分（Ｂ）を含有する。（Ｂ）としては、下記一般式（１）で表される第四級アンモニウム塩型界面活性剤が挙げられる。
【化１】
2020199090.tif 000002
【００１３】
（式中、Ｒ１は、炭素数６以上２８以下の直鎖若しくは分岐鎖のアルキル基、炭素数６以上２８以下の直鎖若しくは分岐鎖のアルケニル基、又は該アルキル基若しくは該アルケニル基がアミド基、エステル基若しくはエーテル基で分断された基を示す。Ｒ２は、炭素数１以上２８以下の直鎖若しくは分岐鎖のアルキル基、炭素数１以上２８以下の直鎖若しくは分岐鎖のアルケニル基、炭素数１以上２８以下の直鎖若しくは分岐鎖のアルカノール基、又は該アルキル基、該アルケニル基若しくは該アルカノール基がアミド基、エステル基若しくはエーテル基で分断された基を示す。Ｒ３及びＲ４は、同一の又は異なる炭素数１以上３以下の直鎖又は分岐のアルキル基を示す。Ａ−は、アンモニウムイオンの対イオンであるアニオンを示す。）
一般式（１）において、Ｒ１の好ましい態様は、除菌効果を向上させる観点から、直鎖または分岐鎖アルキル基またはアルケニル基が好ましく、直鎖のアルキル基がより好ましい。また、Ｒ１の炭素数は、上記と同様の観点から、６以上２８以下が好ましく、１２以上１８以下がより好ましい。Ｒ２は、上記と同様の観点から、直鎖または分岐鎖アルキル基またはアルケニル基が好ましく、直鎖のアルキル基がより好ましい。また、Ｒ２の炭素数は、上記と同様の観点から、６以上２８以下が好ましく、１２以上１８以下がより好ましい。Ｒ３及びＲ４は、上記と同様の観点から、直鎖または分岐鎖アルキル基またはアルケニル基が好ましく、直鎖のアルキル基がより好ましい。
Ａ−はアニオンであれば特に限定されない。無機もしくは有機のカルボン酸イオン、スルホン酸イオン、ハロゲンイオンが挙げられ、ハロゲンイオンが好ましく、塩化物イオン、臭化物イオンがより好ましく、塩素化物イオンが一層好ましい。
【００１４】
液剤中の成分（Ｂ）の含有量は、高い除菌性を付与し且つ汚れ除去性を付与する観点から、０．０５質量％以上が好ましく、０．１質量％以上がより好ましく、そして０．４質量％以下が好ましく、０．１５質量％％以下がより好ましい。かかる成分（Ｂ）の含有量の範囲としては、液剤中に、好ましくは０．０５質量％以上０．４質量％以下であり、より好ましくは０．１質量％以上０．１５質量％以下である。成分（Ｂ）として２種以上含有する場合、成分（Ｂ）の含有量は合計量とする。
【００１５】
液剤中の成分（Ｂ）の含有量に対する成分（Ａ）の含有量の質量比〔（Ａ）成分／（Ｂ）成分〕は、１０／１〜１／１であることが好ましく、１０／１〜３／１であることがより好ましい。なお液剤中の成分（Ａ）の含有量が多すぎると口回りの使用感や清拭面の仕上がり性が悪化する。
【００１６】
安全性を確保する観点から、液剤は成分（Ｃ）として水を含有する。水としては、蒸留水、精製水等が挙げられる。
【００１７】
液剤中の成分（Ｃ）の含有量は、高い安全性を付与する観点から、９７質量％以上が好ましく、９８質量％以上がより好ましく、そして９９．７質量％以下が好ましく、９９．５質量％％以下がより好ましい。かかる成分（Ｃ）の含有量の範囲としては、液剤中に、好ましくは９７質量％以上９９．７質量％以下であり、より好ましくは９８質量％以上９９．５質量％以下である。
【００１８】
液剤は、エタノールを非含有のものである。その結果、ウエットシートは、肌に対する刺激性が低いものとなり、安心して手、指、口周り等の身体の汚れを拭き取る際に使用できる。「エタノールを非含有」とは、液剤がエタノールを全く含有しないこと、及び液剤が不可逆的にエタノールを微量混入することをいい、具体的には液剤中のエタノールの含有量が０．００５質量％未満であることをいう。
【００１９】
ウエットシートが乾燥し難く、拭き取り面がさらさらする観点、ウエットシートを収容する封入袋又は容器の取り出し口から取り出すときの取り出し性が良好となる観点から、液剤は、成分（Ａ）、（Ｂ）及び（Ｃ）に加えて、シリコーンを含有することが好ましい。シリコーンとしては、ジメチルポリシロキサン、ジメチルシクロポリシロキサン、メチルフェニルポリシロキサン、メチルハイドロジェンポリシロキサン、高級アルコール変性オルガノポリシロキサン等が挙げられる。これらは、単独でもよく、２種以上を組み合わせて用いてもよい。
【００２０】
液剤中のシリコーンの含有量は、前記の効果を付与する観点から、０．００３質量％以上が好ましく、０．００５質量％以上がより好ましく、そして０．０５質量％以下が好ましく、０．０３質量％％以下がより好ましい。かかるシリコーンの含有量の範囲としては、液剤中に、好ましくは０．００３質量％以上０．０５質量％以下であり、より好ましくは０．００５質量％以上０．０３質量％以下である。シリコーンとして２種以上含有する場合、シリコーンの含有量は合計量とする。
【００２１】
液剤は、上述の成分に加えて、更に当該技術分野で通常使用される成分を含有していてもよい。このような成分としては、例えばｐＨ調整剤、多価アルコール、防腐剤、芳香剤、色素等が挙げられる。これらの成分は、単独又は２種以上を組み合わせて用いることができる。液剤中のこれらの含有量は、０．１質量％以上が好ましく、０．２質量％以上がより好ましく、そして２．７質量％以下が好ましく、１．２質量％％以下がより好ましい。ｐＨ調整剤としては、塩酸や硫酸などの無機酸、水酸化ナトリウムや水酸化カリウムなどの無機塩基、トリイソプロパノールアミンなどの有機塩基が挙げられる。ｐＨ調整剤としては、酸としては硫酸などの無機酸が好ましく、塩基としては水酸化ナトリウムや水酸化カリウムなどの無機塩基が好ましい。多価アルコールとしては、１，３ブチレングリコール、プロピレングリコール、ジプロピレングリコール、グリセリン等が挙げられる。除菌性を阻害させない観点から、２価以上の金属イオンが非含有であることが好ましい。
【００２２】
また、液剤は、成分（Ｂ）以外の界面活性剤を含有してもよい。成分（Ｂ）以外の界面活性剤として、カチオン性界面活性剤、アニオン性界面活性剤、及び両性界面活性剤を含んでいてもよい。両性界面活性剤としては、例えばポリオキシエチレンラウリルエーテルが挙げられる。液剤中のこれら該界面活性剤の含有量は、該活性剤量が多くなると浸透性が高まるため肌への刺激性が高まる観点からは非含有が好ましい。しかし、汚れを拭きに使用される観点、および、芳香剤を可溶する観点からは、液剤中のこれら該界面活性剤の含有量は、０．０１質量％以上が好ましく、０．０５質量％以上がより好ましく、そして１．０質量％以下が好ましく、０．３質量％以下がより好ましい。特に口周り肌の乾燥によるつっぱり感、かさつき等の違和感を抑制する観点から、液剤中における成分（Ｂ）も含めた界面活性剤全体としての含有量は１．０質量％以下であることが好ましい。
【００２３】
液剤は、肌への刺激性が低く安全である観点から、２５℃におけるｐＨが、３．０以上６．０未満である。同観点から、２５℃における液剤のｐＨは、４．０以上が好ましく、４．３以上がより好ましく、そして５．５以下が好ましく、５．０以下がより好ましい。ｐＨの測定装置としては、例えば、株式会社堀場製作所製のＬＡＱＵＡ  Ｆ−７２を用いることができる。
【００２４】
本発明のウエットシートは、安全性の観点から、液剤に含まれるすべての成分が、医薬部外品原料規格２００６に記載の純度試験を満たすものであることが好ましい。
【００２５】
汚れを除去する機能を発現する観点から、基材シートに含浸されている液剤の割合は、基材シートの質量に対して、１００質量％以上とすることが好ましく、２００質量％以上とすることが更に好ましく、１０００質量％以下とすることが好ましく、５００質量％以下とすることが更に好ましい。含浸されている液剤の割合としては、基材シートの質量に対して、好ましくは１００質量％以上１０００質量％以下であり、より好ましくは２００質量％以上５００質量％以下である。
【００２６】
基材シートとしては、不織布、織布、編み物地等が挙げられる。基材シートとして不織布を用いる場合、スパンレース不織布、メルトブローン不織布、スパンボンド不織布、エアスルー不織布、レジンボンド不織布、ニードルパンチ不織布などを用いることができる。また、これらの不織布の複合体を用いても良い。これらの中でも、肌触りが良好である観点から、スパンレース不織布が好ましく使用される。不織布の坪量は、好ましくは２０ｇ／ｍ２以上２００ｇ／ｍ２以下であり、より好ましくは３０ｇ／ｍ２以上１００ｇ／ｍ２以下である。
【００２７】
基材シートがスパンレース不織布である場合、拭きやすさの観点から該スパンレース不織布には複数の開孔が形成されていることが好ましい。複数の該開孔は、シートの平面方向に均一の間隔で配列した状態で形成されていることが好ましいが、平面方向の間隔が不均一であっても構わない。該開孔とは不織布を貫通している孔のことである。平面視した際の開孔の面積は、好ましくは０．３ｍｍ２以上６ｍｍ２以下であり、より好ましくは１．２ｍｍ２以上１．９ｍｍ２以下である。該開孔の形状は円系もしくは楕円であることが好ましい。楕円の場合の縦横比はＭＤ方向（ｍａｃｈｉｎｅ ｄｉｒｅｃｔｉｏｎ）をＸとし、ＣＤ方向（ｃｒｏｓｓ ｄｉｒｅｃｔｉｏｎ）をＹとした場合、Ｘに対するＹの比率は好ましくは０．１以上１．０以下であり、より好ましくは０．５以上０．７以下である。不織布としては、該不織布における立体的な開孔を形成した部分が凹部、それ以外の部分が相対的に凸部となっている立体開孔不織布であることが好ましい。基材シートにおける面積当たりの開孔の数は、１００ｃｍ２当たり、好ましくは１００個以上２０００個以下であり、より好ましくは６００個以上１０００個以下である。
【００２８】
基材シートを構成する繊維としては、再生繊維、天然繊維、合成繊維等が挙げられる。安全性を確保する観点から、再生繊維が含まれていることが好ましい。再生繊維としては、レーヨン繊維、アセテート繊維等が挙げられ、安全性の観点からレーヨン繊維が好ましく使用される。天然繊維としては、木綿、麻、コラーゲン繊維等が挙げられる。合成樹脂としては、ポリアミド、ポリエステル、ポリアクリル、ポリオレフィン等が挙げられる。
【００２９】
基材シートがレーヨン繊維を含有していると、基材シートに含浸されている液剤が乾燥し難くなるので好ましい。この観点から、基材シートに占めるレーヨン繊維の割合は、５０質量％以上が好ましく、７０質量％以上がより好ましく、そして１００質量％以下が好ましく、９０質量％以下がより好ましい。
【００３０】
ウエットシートは、複数枚が積層された状態で軟質包装材料からなる封入袋に収容された形態に形成することができる。また長尺なシートをロール状態に巻いた状態で容器に収容された形態に形成することができる。
【００３１】
前述した本発明の実施形態に関し、更に以下の付記を開示する。
【００３２】
＜１＞
繊維材料からなる基材シートに液剤が含浸されてなるウエットシートであって、
前記液剤は、
（Ａ）乳酸、クエン酸、リンゴ酸、酢酸若しくはこれらの酸の塩、又はこれらの酸及び塩から選択される２種以上の組み合わせ、
（Ｂ）第四級アンモニウム塩型界面活性剤、及び
（Ｃ）水、
を含有するとともにエタノールを非含有であり、且つ２５℃におけるｐＨが３．０以上６．０未満である、ウエットシート。
【００３３】
＜２＞
前記液剤が水を９７質量％以上９９．７質量％以下含有する、前記＜１＞に記載のウエットシート。
＜３＞
前記液剤が更にシリコーンを含有する、前記＜１＞又は＜２＞に記載のウエットシート。
＜４＞
前記液剤に含まれるすべての成分が、医薬部外品原料規格２００６を満たすものである、前記＜１＞ないし＜３＞のいずれか１つに記載のウエットシート。
＜５＞
前記基材シートの質量に対して１００質量％以上１０００質量％以下の割合で前記液剤が含浸されている、前記＜１＞ないし＜４＞のいずれか１つに記載のウエットシート。
＜６＞
前記基材シートが再生繊維を含む、前記＜１＞ないし＜５＞のいずれか１つに記載のウエットシート。
＜７＞
前記基材シートは、レーヨン繊維及び合成樹脂繊維が混綿されてなるスパンレース不織布からなる、前記＜１＞ないし＜６＞のいずれか１つに記載のウエットシート。
＜８＞
前記基材シートは、前記レーヨン繊維の割合が５０質量％以上１００質量％以下であり、且つ複数の開孔が形成されているものである、＜７＞に記載のウエットシート。
＜９＞
成分（Ａ）が発酵乳酸である、前記＜１＞ないし＜８＞のいずれか１つに記載のウエットシート。
＜１０＞
前記液剤中の成分（Ａ）の含有量は、０．１質量％以上が好ましく、０．２質量％以上がより好ましく、そして１．０質量％以下が好ましく、０．５質量％％以下がより好ましい、前記＜１＞ないし＜９＞のいずれか１つに記載のウエットシート。
【００３４】
＜１１＞
成分（Ｂ）は、下記一般式（１）で表される第四級アンモニウム塩型界面活性剤であり、
【化２】
2020199090.tif 000003
一般式（１）において、Ｒ１は、直鎖または分岐鎖アルキル基またはアルケニル基が好ましく、直鎖のアルキル基がより好ましく、Ｒ１の炭素数は、６以上２８以下が好ましく、１２以上１８以下がより好ましく、Ｒ２は、直鎖または分岐鎖アルキル基またはアルケニル基が好ましく、直鎖のアルキル基がより好ましく、Ｒ２の炭素数は、６以上２８以下が好ましく、１２以上１８以下がより好ましく、Ｒ３及びＲ４は、直鎖または分岐鎖アルキル基またはアルケニル基が好ましく、直鎖のアルキル基がより好ましく、Ａ−は、ハロゲンイオンが好ましく、塩化物イオン、臭化物イオンがより好ましく、塩素化物イオンが一層好ましい、前記＜１＞ないし＜１０＞のいずれか１つに記載のウエットシート。
＜１２＞
前記液剤中の成分（Ｂ）の含有量は、０．０５質量％以上が好ましく、０．１質量％以上がより好ましく、そして０．４質量％以下が好ましく、０．１５質量％％以下がより好ましい、前記＜１＞ないし＜１１＞のいずれか１つに記載のウエットシート。
＜１３＞
前記液剤中の成分（Ｂ）の含有量に対する成分（Ａ）の含有量の質量比〔（Ａ）成分／（Ｂ）成分〕は、１０／１〜１／１であることが好ましく、１０／１〜３／１であることがより好ましい、前記＜１＞ないし＜１２＞のいずれか１つに記載のウエットシート。
＜１４＞
前記液剤中の成分（Ｃ）の含有量は、９７質量％以上が好ましく、９８質量％以上がより好ましく、そして９９．７質量％以下が好ましく、９９．５質量％％以下がより好ましい、前記＜１＞ないし＜１３＞のいずれか１つに記載のウエットシート。
＜１５＞
前記液剤が更にシリコーンを含有し、該液剤中の該シリコーンの含有量は、０．００３質量％以上が好ましく、０．００５質量％以上がより好ましく、そして０．０５質量％以下が好ましく、０．０３質量％％以下がより好ましい、前記＜１＞ないし＜１４＞のいずれか１つに記載のウエットシート。
＜１６＞
前記シリコーンとしては、ジメチルポリシロキサン、ジメチルシクロポリシロキサン、メチルフェニルポリシロキサン、メチルハイドロジェンポリシロキサン、高級アルコール変性オルガノポリシロキサンが挙げられ、これらを、単独又は２種以上を組み合わせて用いる、前記＜１５＞に記載のウエットシート。
＜１７＞
前記液剤は、更にｐＨ調整剤、多価アルコール、防腐剤、芳香剤、色素を含有し、該液剤中のこれらの含有量は、０．１質量％以上が好ましく、０．２質量％以上がより好ましく、そして２．７質量％以下が好ましく、１．２質量％％以下がより好ましい、前記＜１＞ないし＜１６＞のいずれか１つに記載のウエットシート。
＜１８＞
前記液剤は、成分（Ｂ）以外の界面活性剤を含有し、該液剤中の該界面活性剤の含有量は、０．０１質量％以上が好ましく、０．０５質量％以上がより好ましく、そして１．０質量％以下が好ましく、０．３質量％以下がより好ましく、液剤中における成分（Ｂ）も含めた界面活性剤全体としての含有量は１．０質量％以下であることが好ましい、前記＜１＞ないし＜１７＞のいずれか１つに記載のウエットシート。
＜１９＞
前記液剤は、２５℃におけるｐＨが、３．０以上６．０未満であり、４．０以上が好ましく、４．３以上がより好ましく、そして５．５以下が好ましく、５．０以下がより好ましい、前記＜１＞ないし＜１８＞のいずれか１つに記載のウエットシート。
【００３５】
＜２０＞
前記基材シートに含浸されている前記液剤の割合は、該基材シートの質量に対して、１００質量％以上とすることが好ましく、２００質量％以上とすることが更に好ましく、１０００質量％以下とすることが好ましく、５００質量％以下とすることが更に好ましい、前記＜１＞ないし＜１９＞のいずれか１つに記載のウエットシート。
＜２１＞
前記基材シートは不織布であり、該不織布の坪量は、好ましくは２０ｇ／ｍ２以上２００ｇ／ｍ２以下であり、より好ましくは３０ｇ／ｍ２以上１００ｇ／ｍ２以下である、前記＜１＞ないし＜２０＞のいずれか１つに記載のウエットシート。
＜２２＞
前記基材シートがスパンレース不織布であり、該スパンレース不織布には複数の開孔が形成されている、前記＜１＞ないし＜２１＞のいずれか１つに記載のウエットシート。
＜２３＞
平面視した際の前記開孔の面積は、好ましくは０．３ｍｍ２以上６ｍｍ２以下であり、より好ましくは１．２ｍｍ２以上１．９ｍｍ２以下である、前記＜２２＞に記載のウエットシート。
＜２４＞
前記開孔の形状は円系もしくは楕円であり、楕円の場合の縦横比はＭＤ方向（ｍａｃｈｉｎｅ ｄｉｒｅｃｔｉｏｎ）をＸとし、ＣＤ方向（ｃｒｏｓｓ ｄｉｒｅｃｔｉｏｎ）をＹとした場合、Ｘに対するＹの比率は好ましくは０．１以上１．０以下であり、より好ましくは０．５以上０．７以下である、前記＜２２＞又は＜２３＞に記載のウエットシート。
＜２５＞
前記基材シートにおける面積当たりの前記開孔の数は、１００ｃｍ２当たり、好ましくは１００個以上２０００個以下であり、より好ましくは６００個以上１０００個以下である、前記＜２２＞ないし＜２４＞のいずれか１つに記載のウエットシート。
＜２６＞
前記基材シートがレーヨン繊維を含有しており、該基材シートに占める該レーヨン繊維の割合は、５０質量％以上が好ましく、７０質量％以上がより好ましく、そして１００質量％以下が好ましく、９０質量％以下がより好ましい、前記＜１＞ないし＜２５＞のいずれか１つに記載のウエットシート。
【実施例】
【００３６】
以下、実施例により本発明を更に詳細に説明する。しかしながら本発明の範囲は、かかる実施例に制限されない。なお、表中に特に示さない限り、各成分の含有量は質量％を示す。
【００３７】
〔実施例１ないし１０及び比較例１ないし５〕
以下の表１に示す成分を含有する液剤を用いた。基材シートとしてはスパンレース不織布を用いた。スパンレース不織布の質量に対して液剤を２５０質量％の割合で含浸させて実施例及び比較例のウエットシートを製造した。スパンレース不織布としては、ダイワボウポリテック株式会社製の品番ＮＷ−ＲＨ３−４０Ｂを用いた。該不織布は、サイズが１６０ｍｍ×１４０ｍｍであり、坪量が４０ｇ／ｍ２であり、レーヨン繊維の配合割合が８０質量％であった。芯：ポリプロピレン／鞘：ポリエチレンの合成繊維の配合割合が２０質量％であった。
【００３８】
表１に示す液剤の成分の詳細を以下に示す。何れの成分も医薬部外品原料規格２００６に記載の純度試験を満たすものであった。
・乳酸：発酵乳酸、品番ＰＵＲＡＣ  ＵＬＴＲＡＰＵＲＥ９０、ピューラック・タイランド社製
・クエン酸：扶桑化学工業株式会社製
・リンゴ酸：扶桑化学工業株式会社製
・酢酸：和光純薬工業株式会社製
・コハク酸：純正化学株式会社製
・第四級アンモニウム塩型界面活性剤：サニゾールＣ、花王株式会社製
・界面活性剤：エマルゲン１０９Ｐ、花王株式会社製
・多価アルコール：プロピレングリコール、株式会社ＡＤＥＫＡ製
・多価アルコール：ジプロピレングリコール、株式会社ＡＤＥＫＡ製
・シリコーン：シリコーンＫＭ−７２、信越化学工業株式会社製
・ｐＨ調整剤：水酸化ナトリウム、南海化学株式会社製
・ｐＨ調整剤：硫酸、和光純薬工業株式会社製
・エタノール：和光純薬工業株式会社製
【００３９】
実施例及び比較例のウエットシートについて、２５℃におけるｐＨを上述した測定装置を用いて測定した。ウエットシートについて下記に示す除菌試験及び抗菌試験を行い評価した。またウエットシートの肌への刺激性の低さ及び口周りの使用感について下記に示す方法によって評価した。これらの結果を表１に示す。
【００４０】
＜除菌試験＞
日本清浄紙綿類工業会が定める「ウエットワイパー類の除菌性能試験」に準じて実施例及び比較例のウエットシートを評価した。
菌種としては大腸菌及び黄色ブドウ球菌を選定した。各菌の生菌数をそれぞれ１．０〜５．０×１０９個／ｍＬに調製した。ステンレスプレート上に各菌の調製液をそれぞれ０．０１ｍＬ滴下した。このプレートを実施例及び比較例のウエットシートを用いて拭き取った。拭き取り操作は、ウエットシートに１５０ｇの荷重をかけた状態で、プレート上を約１秒間隔で５往復させて行った。拭取り操作終了後、ウエットシートを５分間放置した後、ストマッカー袋に移し、所定の条件にて菌を洗い出した。さらに所定の条件にて希釈し、一般細菌用のＳＣＤＬＰ寒天培地に接種して、３５℃で１日間培養した。培養後、生菌数の測定を行い、菌体数の常用対数値を〔Ｂ〕とした。また、対照シートを用いて同様に操作を行い、測定した菌体数の常用対数値を〔Ａ〕とした。尚、対照シートとして、ウエットシートの原料の基材シートを用い、液剤は精製水を使用した。
下記の計算式によって除菌活性値を数値化した。
除菌活性値＝Ａ−Ｂ
Ａ：対照シートで３回試行した結果における生菌数の常用対数値の平均値
Ｂ：実施例及び比較例のウエットシートで３回試行した結果における生菌数の常用対数値の平均値
評価基準：
ａ：除菌活性値が３．０以上
ｂ：除菌活性値が２．０以上３．０未満
ｄ：除菌活性値が２．０未満
除菌活性値が２．０以上であると、除菌能力が高いことを意味する。
【００４１】
＜抗菌試験＞
ＪＩＳ  Ｚ２８０１「抗菌加工製品−抗菌性試験方法・抗菌効果」に準拠して、実施例及び比較例のウエットシートを評価した。
菌種としては大腸菌及び黄色ブドウ球菌を選定した。ポリエチレン樹脂からなる５ｃｍ×５ｃｍサイズの試料板を、実施例及び比較例のウエットシートで２往復拭き、その後乾燥させた。各菌液を乾燥させたそれぞれの試料板の表面に滴下して植菌した。植菌数は、試料板一枚当たり１．０〜４．０×１０５個に調製した。試料板上の菌液に密着するようにポリエチレン製のフィルムを配置した。フィルムのサイズは４ｃｍ×４ｃｍであった。その後、温度３５℃、相対湿度９０％以上の環境下で２４時間培養した。それをストマッカー袋に移し、所定の条件にて菌を洗い出した。さらに、所定の条件にて希釈し一般細菌用のＳＣＤＬＰ寒天培地に接種して、３５℃で１日間培養した。培養後、生菌数の測定を行い、菌体数の常用対数値を〔Ｄ〕とした。また、対照シートを用いて同様に操作を行い、測定した菌体数の常用対数値を〔Ｃ〕とした。尚、対照シートとして、ウエットシートの原料の基材シートを用い、液剤は精製水を使用した。
下記の計算式によって抗菌活性値を数値化した。
抗菌活性値＝Ｃ−Ｄ
Ｃ：対照シートで３回試行した結果における生菌数の常用対数値の平均値
Ｄ：実施例及び比較例のウエットシートで３回試行した結果における生菌数の常用対数値の平均値
評価基準：
ａ：抗菌活性値が３．０以上
ｂ：抗菌活性値が２．０以上３．０未満
ｄ：抗菌活性値が２．０未満
抗菌活性値が２．０以上であると、抗菌能力が高いことを意味する。
【００４２】
＜抗菌試験：汚濁条件試験＞
ＪＩＳ  Ｚ２８０１「抗菌加工製品−抗菌性試験方法・抗菌効果」を参考に、汚れの付着時の抗菌試験法を作成し評価した。通常法のＪＩＳ  Ｚ２８０１法との相違点は菌液の調整時に０．３％濃度の牛血清アルブミンを添加する。アルブミンを添加することでＪＩＳ  Ｚ２８０１「抗菌加工製品−抗菌性試験方法・抗菌効果」では評価できなかった汚れ付着時の抗菌性が評価できる事から、実施例及び比較例のウエットシートを評価した。尚、対照シートとして、ウエットシートの原料の基材シートを用い、液剤は精製水を使用した。
抗菌活性値＝Ｅ−Ｆ
Ｅ：対照シートで３回試行した結果における生菌数の常用対数値の平均値
Ｆ：実施例及び比較例のウエットシートで３回試行した結果における生菌数の常用対数値の平均値
評価基準：
ａ：抗菌活性が３．０以上
ｂ：抗菌活性値が２．０以上
ｄ：抗菌活性値が２．０未満
抗菌試験：汚濁条件試験において  抗菌活性値が２．０以上であると、汚れ存在下においても抗菌効果を発現し抗菌能力が通常の抗菌試験  ＪＩＳ  Ｚ２８０１「抗菌加工製品−抗菌性試験方法・抗菌効果」で得た結果より抗菌性がより高く、抗菌活性値が３．０以上であると、さらに高い抗菌性であると位置づけを行った。
【００４３】
＜肌への刺激性の低さ＞
実施例及び比較例のウエットシートで手の甲を１秒間に１往復、合計３往復拭き、肌への刺激性の低さを専門パネラー３名で評価した。これらのパネラーの協議により以下の評価基準に従って評価した。
評価基準：
ｂ：シートで拭き上げた後の肌に、つっぱり感やかさつく等の違和感がない
ｄ：シートで拭き上げた後の肌につっぱり感やかさつく等の違和感がある
【００４４】
＜口周りの使用感＞
実施例及び比較例のウエットシートを用い、口周りを１秒間に１回転口周り全体に円を描くように５回転拭き、乾燥後の口周りの、つっぱり感、かさつき感を、専門パネラー３名で評価した。これらのパネラーの協議により以下の評価基準に従って評価した。
評価基準：
ｂ：シートで拭き上げた後のつっぱり感、かさつき感等の違和感がない
ｄ：シートで拭き上げた後のつっぱり感、かさつき感等の違和感がある
【００４５】
【表１】
2020199090.tif 000004
【００４６】
表１に示す結果から明らかなとおり、実施例のウエットシートは、何れも、大腸菌及び黄色ブドウ球菌それぞれに対し、除菌能力が高く且つ抗菌能力が高いことが分かった。それに加え、実施例のウエットシートは、何れも、肌への刺激性が低いことが分かった。以上のことから、各実施例のウエットシートは、高い除菌抗菌効果と、肌に対する刺激性が低いこととを両立していることが分かる。これに対し、比較例のウエットシートは、除菌効果が弱いものであったり、或いは肌に対する刺激性が高いものであった。
【００４７】
実施例のウエットシートについて、容器からの取り出し性及び清拭面の仕上がり性について下記に示す方法によって評価した。これらの結果を表２に示す。
【００４８】
＜容器からの取り出し性＞
実施例の長尺なウエットシートをロール状態に巻いた状態で容器に収容し、収容された形態のウエットシートの取り出し性を、専門パネラー３名で評価した。これらのパネラーの協議により以下の評価基準に従って評価した。長尺なウエットシートのサイズは１６０ｍｍ×１４０ｍｍであり、長手方向の一端部側から巻き回してロール状態とした。なお容器としては、蓋は凸版印刷株式会社製、ヒンジ付き射出成型キャップ、ボトルは株式会社本田洋行社製、ブロー成型容器を用いた。
評価基準：
ｂ：異音や引っかかりがなく、スムーズに取り出しやすい
ｄ：異音や、引っかかりがあり、引き出しにくい
【００４９】
＜清拭面の仕上がり性＞
実施例のウエットシートで、３０ｃｍ×３０ｃｍの黒色のプラスチック面を１秒間に１往復、合計３往復で全面を清拭し、乾燥後の黒色のプラスチック面における仕上がり性を、専門パネラー３名で評価した。これらのパネラーの協議により以下の評価基準に従って評価した。
評価基準：
ａ：肉眼で見える変化がない
ｂ：一方の観察方向から僅かな拭き筋（白色の筋状）認められる
ｃ：数通りの観察方向から拭き筋（白色の筋状）認められる
ｄ：明らかに白化が認められる
【００５０】
【表２】
2020199090.tif 000005
【００５１】
表２に示す結果から明らかなとおり、実施例のウエットシートのうち、シリコーンが含有されている実施例１〜１４のウエットシートの方が、シリコーンが含有されていない実施例１５のウエットシートに比べて、容器からの取り出し性が良好であり、更に清拭面の仕上がり性も良好であることが分かった。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
繊維材料からなる基材シートに液剤が含浸されてなるウエットシートであって、
前記液剤は、
（Ａ）乳酸、クエン酸、リンゴ酸、酢酸若しくはこれらの酸の塩、又はこれらの酸及び塩から選択される２種以上の組み合わせ、
（Ｂ）第四級アンモニウム塩型界面活性剤、及び
（Ｃ）水、
を含有するとともにエタノールを非含有であり、且つ２５℃におけるｐＨが３．０以上６．０未満である、ウエットシート。
【請求項２】
前記液剤が水を９７質量％以上９９．７質量％以下含有する、請求項１に記載のウエットシート。
【請求項３】
前記液剤が更にシリコーンを含有する、請求項１又は２に記載のウエットシート。
【請求項４】
前記液剤に含まれるすべての成分が、医薬部外品原料規格２００６を満たすものである、請求項１ないし３のいずれか一項に記載のウエットシート。
【請求項５】
前記基材シートの質量に対して１００質量％以上１０００質量％以下の割合で前記液剤が含浸されている、請求項１ないし４のいずれか一項に記載のウエットシート。
【請求項６】
前記基材シートが再生繊維を含む、請求項１ないし５のいずれか一項に記載のウエットシート。
【請求項７】
前記基材シートは、レーヨン繊維及び合成樹脂繊維が混綿されてなるスパンレース不織布からなる、請求項１ないし６のいずれか一項に記載のウエットシート。
【請求項８】
前記基材シートは、前記レーヨン繊維の割合が５０質量％以上１００質量％以下であり、且つ複数の開孔が形成されているものである、請求項７に記載のウエットシート。
【請求項９】
平面視した際の前記開孔の面積は、０．３ｍｍ2以上６ｍｍ2以下である、請求項８に記載のウエットシート。
【請求項１０】
前記基材シートにおける面積当たりの前記開孔の数は、１００ｃｍ2当たり、１００個以上２０００個以下である、請求項８又は９に記載のウエットシート。
【請求項１１】
前記液剤中の成分（Ｂ）の含有量に対する成分（Ａ）の含有量の質量比は、１０／１〜１／１である、請求項１ないし１０のいずれか一項に記載のウエットシート。
【請求項１２】
第四級アンモニウム塩型界面活性剤及び水を含有するとともにエタノールを非含有である液剤に対して、乳酸、クエン酸、リンゴ酸、酢酸若しくはこれらの酸の塩、又はこれらの酸及び塩から選択される２種以上の組み合わせを添加することにより、２５℃におけるｐＨを３．０以上６．０未満とするとともに、前記第四級アンモニウム塩型界面活性剤の除菌性を向上させる方法。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
第四級アンモニウム塩型界面活性剤〔成分（Ｂ）〕及び水を含有するとともにエタノールを非含有である液剤（ただし第四級アンモニウム塩及びポリアミノプロピルビグアナイドを含む液剤を除く。）に対して、乳酸、クエン酸、リンゴ酸、酢酸若しくはこれらの酸の塩、又はこれらの酸及び塩から選択される２種以上の組み合わせ〔成分（Ａ）〕を、前記液剤中の成分（Ｂ）の含有量に対する成分（Ａ）の含有量の質量比〔成分（Ａ）／成分（Ｂ）〕を１０／１〜３／１の割合で添加することにより、２５℃におけるｐＨを３．０以上６．０未満とするとともに、前記第四級アンモニウム塩型界面活性剤の除菌性を向上させる方法。